(57)【特許請求の範囲】
【請求項１】
ユニット本体に予めフイルムが装填され、ストロボ回路とシャッタ装置とプリントモードを識別するための識別データをフイルムに露光するデータ露光回路とが組み込まれたストロボ内蔵型レンズ付きフイルムユニットにおいて、
前記ユニット本体には、撮影時に撮影者が意図するプリントモードを選択するための操作部材が設けられ、前記ストロボ回路は、電源用の電池と、発振トランジスタと、一端が前記電池のプラス側に接続され他端が前記発振トランジスタのコレクタ−エミッタ間を通して前記電池のマイナス側に接続された一次コイルと、この一次コイルと誘導結合され一端がメインコンデンサに、他端がストロボ充電スイッチを介して前記発振トランジスタのベースに接続された二次コイルと、前記電池に対して前記一次コイルと並列に接続されるとともに前記二次コイルと誘導結合され、一端が前記電池のプラス側に接続され他端が前記二次コイルの他端に接続された三次コイルの各コイルからなる発振トランスとを備え、前記データ露光回路は、コレクタが前記発振トランジスタのベースに、エミッタが前記二次コイルの他端に、ベースがシャッタ装置の作動に同期して閉じられるデータ露光用のスイッチを介して前記電池のマイナス側に接続され、前記シャッタ装置の作動に同期して前記発振トランジスタにベース電流を流して前記発振トランスを作動させるスイッチ用トランジスタと、アノードが前記一次コイルの他端または前記三次コイルの一端に接続され、カソードが前記スイッチ用トランジスタのベースに接続された複数個の発光ダイオードと、前記操作部材に連動して切替られ、選択されたプリントモードに応じた前記発光ダイオードを前記一次コイルまたは前記三次コイルに接続するスイッチとを備え、シャッタ装置の作動に同期して前記発振トランスが作動したときに、前記アノードに印加される電圧によって、選択されたプリントモードに応じた発光ダイオードを駆動してフイルムにデータ露光を行うことを特徴とするストロボ内蔵型レンズ付きフイルムユニット。
【請求項２】
ユニット本体に予めフイルムが装填され、ストロボ回路とシャッタ装置とプリントモードを識別するための識別データをフイルムに露光するデータ露光回路とが組み込まれたストロボ内蔵型レンズ付きフイルムユニットにおいて、
前記ユニット本体には、撮影時に撮影者が意図するプリントモードを選択するための操作部材が設けられ、前記ストロボ回路は、電源用の電池と、発振トランジスタと、一端が前記電池のプラス側に接続され他端が前記発振トランジスタのコレクタ−エミッタ間を通して前記電池のマイナス側に接続された一次コイルと、この一次コイルと誘導結合され一端がメインコンデンサに、他端がストロボ充電スイッチを介して前記発振トランジスタのベースに接続された二次コイルと、前記電池に対して前記一次コイルと並列に接続されるとともに前記二次コイルと誘導結合され、一端が前記電池のプラス側に接続され他端が前記二次コイルの他端に接続された三次コイルの各コイルからなる発振トランスと、シャッタ装置に同期して閉じることにより、トリガコンデンサを放電させ、ストロボ放電管にトリガ電圧を印加するためのトリガスイッチとを備え、前記データ露光回路は、ベースがトリガスイッチを介して、前記電池のプラス側と接続されエミッタが電池のマイナス側に接続され、前記トリガスイッチが閉じた時に、エミッタ−コレクタ間に電流を流すように作動されるシンクロ用トランジスタと、コレクタが前記発振トランジスタのベースに、エミッタが前記二次コイルの他端に、ベースが前記シンクロ用トランジスタのコレクタに接続され、前記シンクロ用トランジスタが作動した時に前記発振トランジスタにベース電流を流して前記発振トランスを作動させるスイッチ用トランジスタと、アノードが前記一次コイルの他端または前記三次コイルの一端に接続され、カソードが前記スイッチ用トランジスタのベースに接続された複数個の発光ダイオードと、前記操作部材に連動して切替られ、選択されたプリントモードに応じた前記発光ダイオードを前記一次コイルまたは前記三次コイルに接続するスイッチとを備え、シャッタ装置の作動に同期して前記発振トランスが作動したときに、前記アノードに印加される電圧によって、選択されたプリントモードに応じた発光ダイオードを駆動してフイルムにデータ露光を行うことを特徴とするストロボ内蔵型レンズ付きフイルムユニット。
【発明の詳細な説明】
【０００１】
【産業上の利用分野】
本発明は、ストロボ内蔵型レンズ付きフイルムユニットに関し、さらに詳しくは、プリントモードを識別するための識別データや日付等のデータを発光ダイオードでフイルムに露光するようにしたストロボ内蔵型レンズ付きフイルムユニットに関するものである。
【０００２】
【従来の技術】
簡単なシャッタ装置、フイルム巻き上げ装置、撮影レンズ等の撮影機構を組み込んだユニット本体に予めフイルムが装填されたレンズ付きフイルムユニットが販売され、広く利用されている。また、このレンズ付きフイルムユニットには、ストロボ装置を内蔵したタイプもあり、暗い場所での撮影に便利である。
【０００３】
一方、フイルムの撮影コマ毎に、撮影日や絞り値、シャッタ速度等のデータ等を露光するようにしたカメラが知られている。また、プリント写真の魅力や楽しみをより一層一般のユーザーに広げるために、撮影する被写体の種類や大きさによって、アスペクト比の異なるプリント写真を得ることのできるカメラやレンズ付きフイルムユニットが提供されている。
【０００４】
このような、アスペクト比の異なるプリント写真を１本の写真フイルムから得るには、フイルムに対して固定した単一の露光範囲で全撮影コマを撮影するとともに、撮影コマ毎に撮影者が意図したプリントモード（サイズ）を示す識別データを露光（記録）する方法と、遮光板や、遮光板を切り替える切り替え機構などをカメラに設けて各プリントサイズに対応して露光範囲を制限する方法とがある。
【０００５】
前者の方法では、撮影者が例えばプリント写真の仕上がりをＬサイズプリントを意図して撮影する場合には、カメラのモードをＬプリントモードに切替えて撮影を行い、また、パノラマサイズを意図して撮影する場合には、パノラマプリントモードに切替えて撮影を行う。これらの撮影では、被写体像は固定された露光範囲に撮影されるとともに、Ｌプリントモードまたはパノラマプリントモードを識別するための識別データが露光範囲内または外に露光される。
【０００６】
そして、撮影されたフイルムは、現像処理後、焼付装置によって識別データが読み取られ、撮影コマ毎に撮影者の意図したプリントサイズでプリント写真が作成されるので、撮影者がプリント依頼時に予め希望するプリントサイズを１コマづつ記録する必要がないばかりでなく、プリント時に撮影コマ毎のプリントサイズを指定する操作が不要になり便利である。また、この方法によれば、後者の方法のように遮光板や、遮光板を切り替える切り替え機構などをカメラに設ける必要がなく、低価格化が要求されるコンパクトカメラやレンズ付きフイルムユニットに有利である。
【０００７】
一般に、撮影日や識別データ等のデータを露光するカメラでは、シャッタ機構の作動に同期させて発光ダイオードを発光させることにより、データをフイルムに露光している。発光ダイオードは、低価格で長い寿命、安定した発光，速い応答性等の特性をもっているため、上記のようなデータを露光する発光装置としては最適なものである。
【０００８】
【発明が解決しようとする課題】
ところで、発光ダイオードは、発光に必要な順方向電圧すなわち立ち上がり電圧が２Ｖ程度であり、安定して発光させるには３Ｖ以上の順方向電圧を必要とする。コンパクトカメラでは、シャッタ駆動用，ストロボ用，自動巻き上げ用，制御回路駆動用等に起電力が３Ｖ以上の電池を内蔵しているため、発光ダイオードを簡単に発光させることができ、またシャッタ装置の作動に同期（シンクロ）させて発光させることも容易である。しかしながら、上記のようなストロボ内蔵型レンズ付きフイルムユニットに、発光ダイオードにデータの露光機能を付加しようとした場合には、ストロボ内蔵型レンズ付きフイルムユニットに内蔵されている電池は、起電力が１．５Ｖ程度であるため、この電池を電源として発光ダイオードを直接に駆動することができないといった問題がある。
【０００９】
なお、３Ｖの電池を別に設けると、コストアップになったり、電池の実装スペースが新たに必要になったりするため、低価格化及び小型化が要求されるストロボ内蔵型レンズ付きフイルムユニットには適さない。また、起電力が３Ｖの電池は、それ自体が高価であるため、これをストロボ回路の電源として兼用するようにした場合でも、ストロボ内蔵型レンズ付きフイルムユニットが高価になってしまい好ましくない。
【００１０】
本発明は上記問題点を解消するためになされたもので、ローコストで小型化に有利にして、シャッタ装置の作動に容易に同期させて撮影日や識別データ等を発光ダイオードで露光することができるようにしたストロボ内蔵型レンズ付きフイルムユニットを提供することを目的とする。
【００１１】
【課題を解決するための手段】
上記目的を達成するために、請求項１の発明では、ユニット本体には、撮影時に撮影者が意図するプリントモードを選択するための操作部材が設けられ、ストロボ回路は、電源用の電池と、発振トランジスタと、一端が前記電池のプラス側に接続され他端が前記発振トランジスタのコレクタ−エミッタ間を通して前記電池のマイナス側に接続された一次コイルと、この一次コイルと誘導結合され一端がメインコンデンサに、他端がストロボ充電スイッチを介して前記発振トランジスタのベースに接続された二次コイルと、前記電池に対して前記一次コイルと並列に接続されるとともに前記二次コイルと誘導結合され、一端が前記電池のプラス側に接続され他端が前記二次コイルの他端に接続された三次コイルの各コイルからなる発振トランスとを備え、前記データ露光回路は、コレクタが前記発振トランジスタのベースに、エミッタが前記二次コイルの他端に、ベースがシャッタ装置の作動に同期して閉じられるデータ露光用のスイッチを介して前記電池のマイナス側に接続され、前記シャッタ装置の作動に同期して前記発振トランジスタにベース電流を流して前記発振トランスを作動させるスイッチ用トランジスタと、アノードが前記一次コイルの他端または前記三次コイルの一端に接続され、カソードが前記スイッチ用トランジスタのベースに接続された複数個の発光ダイオードと、前記操作部材に連動して切替られ、選択されたプリントモードに応じた前記発光ダイオードを前記一次コイルまたは前記三次コイルに接続するスイッチとを備え、シャッタ装置の作動に同期して前記発振トランスが作動したときに、前記アノードに印加される電圧によって発光ダイオードを駆動してフイルムにデータ露光を行うようにしたものである。
【００１３】
請求項２の発明では、ユニット本体には、撮影時に撮影者が意図するプリントモードを選択するための操作部材が設けられ、ストロボ回路は、電源用の電池と、発振トランジスタと、一端が前記電池のプラス側に接続され他端が前記発振トランジスタのコレクタ−エミッタ間を通して前記電池のマイナス側に接続された一次コイルと、この一次コイルと誘導結合され一端がメインコンデンサに、他端がストロボ充電スイッチを介して前記発振トランジスタのベースに接続された二次コイルと、前記電池に対して前記一次コイルと並列に接続されるとともに前記二次コイルと誘導結合され、一端が前記電池のプラス側に接続され他端が前記二次コイルの他端に接続された三次コイルの各コイルからなる発振トランスと、シャッタ装置に同期して閉じることにより、トリガコンデンサを放電させ、ストロボ放電管にトリガ電圧を印加するためのトリガスイッチとを備え、前記データ露光回路は、ベース端子がトリガスイッチを介して、前記電池のプラス側と接続されエミッタが電池のマイナス側に接続され、前記トリガスイッチが閉じた時に、エミッタ−コレクタ間に電流を流すように作動されるシンクロ用トランジスタと、コレクタが前記発振トランジスタのベースに、エミッタが前記二次コイルの他端に、ベースが前記シンクロ用トランジスタのコレクタに接続され、前記シンクロスイッチが作動した時に前記発振トランジスタにベース電流を流して前記発振トランスを作動させるスイッチ用トランジスタと、アノードが前記一次コイルの他端または前記三次コイルの一端に接続され、カソードが前記スイッチ用トランジスタのベースに接続された複数個の発光ダイオードと、前記操作部材に連動して切替られ、選択されたプリントモードに応じた前記発光ダイオードを前記一次コイルまたは前記三次コイルに接続するスイッチとを備え、シャッタ装置の作動に同期して前記発振トランスが作動したときに、前記アノードに印加される電圧によって、選択されたプリントモードに応じた発光ダイオードを駆動してフイルムにデータ露光を行うようにしたものである。
【００１５】
【作用】
撮影時のシャッタ装置の作動に同期して、ストロボ回路の発振回路の発振動作が行われ、このときに発振トランスの例えば一次コイルまたは三次コイルで発生する電圧から、発光ダイオードが安定して発光するのに必要な電圧が取り出される。この電圧でデータを露光するための発光ダイオードが発光し、データがフイルムに露光される。データ露光のための電源にストロボ回路用の電池を用いることができ、またストロボ回路に簡単な回路を付加するだけで発光ダイオードをシャッタに同期させて発光させることができる。
【００１６】
【実施例】
本発明を実施したストロボ内蔵型のレンズ付きフイルムユニット（以下ストロボ付きフイルムユニットという）を図２に示す。このストロボ付きフイルムユニットは、フイルム上の固定されサイズの露光範囲に被写体像を露光するとともに、露光範囲外に撮影者の意図するプリントエリア（プリントモード）を識別する識別データを記録するようにしたものである。
【００１７】
ストロボ付きフイルムユニットは、簡単な撮影機構を備えたユニット本体１にフイルムを内蔵しており、このユニット本体１は紙箱２に覆われている。紙箱２には、撮影レンズ３，ファインダ４，巻上げノブ５等が露呈する開口が設けられており、ユニット本体１を紙箱２に入れたままで撮影操作を行うことができる。
【００１８】
ユニット本体１の前面中央部には、撮影レンズ３が配置されている。撮影レンズ３の上方にはファインダ４が設けられ、このファインダ４の右側にはストロボ発光部６が配置されている。また、撮影レンズ３の右側にはストロボ充電スイッチ７（図１参照）をＯＮ−ＯＦＦさせる操作ボタン７ａが設けられている。さらに、この操作ボタン７ａとストロボ発光部６との間には、プリントモード切替ツマミ８が設けられている。ストロボ付きフイルムユニットの上面には、シャッタボタン９，残りフイルム枚数を確認するための表示窓１０，ストロボ充電完了を確認するための表示窓１１が設けられている。
【００１９】
プリントモード切替ツマミ８をスライド操作して、ストロボ付きフイルムユニットの前面に記された「Ｈ」，「Ｐ」，「Ｌ」の各位置に移動させることにより、後述するプリントモードに応じた識別データが撮影コマ毎に露光・記録されるようになっており、プリント時に各撮影コマのプリントサイズを識別できるようになっている。プリントモード切替ツマミ８を「Ｈ」の位置にセットした時には、Ｈ（ハイビジョン）プリントモードとなり、このプリントモードで撮影された撮影コマは、ハイビジョンプリントサイズ（８９ｍｍ×１５８ｍｍ）でプリントされる。また、「Ｐ」の位置にセットした時には、Ｐ（パノラマ）プリントモードとなり、このプリントモードで撮影された撮影コマは、パノラマプリントサイズ（８９ｍｍ×２５４ｍｍ）で、「Ｌ」の位置にセットした時には、Ｌプリントモードとなり、このプリントモードで撮影された撮影コマは、Ｌプリントサイズ（８９ｍｍ×１２７ｍｍ）でそれぞれプリントされる。
【００２０】
ファインダ４は、例えばアルバタ式ガリレオファインダになっており、図３にファインダ４を覗いたときの様子を示すように、ファインダ４の全視野範囲４ａは、Ｈプリントモードにおける撮影範囲（プリント範囲）に対応した視野範囲になっている。そして、ファインダ視野の上下を水平に横切る２本のパノラマ用視野線４ｂで囲まれる範囲は、Ｐプリントモードにおける撮影範囲（プリント範囲）に対応し、ファインダ視野の左右の２本のＬサイズ用視野線４ｃで囲まれる範囲は、Ｌプリントモードにおける撮影範囲（プリント範囲）に対応した視野範囲にそれぞれなっている。なお、フィンダ４は、プリントモードの切替に応じて、各プリントモードの撮影範囲となるようにファインダの視野範囲を規制するようにしてもよい。
【００２１】
ユニット本体１内には、その組立時に予めフイルムを遮光して収納するフイルムカートリッジ２０とこのフイルムカートリッジ２０から引き出されてロール状にされた未露光のフイルム２１（図４参照）が内蔵されている。また、ユニット本体１には、撮影レンズ３，シャッタ装置，フイルム巻き上げ機構（図示省略）、ストロボ回路等が内蔵されている。また、ストロボ回路及び後述する識別データ露光回路用に起電力が１．５Ｖの電池３１（図１参照）が内蔵されている。
【００２２】
図４に示すように、シャッタ装置のシャッタ羽根２５は、撮影レンズ３の背後に設けられており、シャッタ羽根２５が時計方向に回動して撮影レンズ３の背後から退避している間に、撮影レンズ３を透過した撮影光が暗箱２６の前面の開口２６ａから入射して、フイルム２１が露光がされる。暗箱２６の背面は、ハイビジョンプリントサイズと同じアスペクト比で開口したアパーチャが形成されており、フイルム２１の１個の撮影コマは、このアパーチャとほぼ同じサイズ（１５ｍｍ×２６．７ｍｍ）の露光範囲２２に露光される。
【００２３】
なお、本実施例で使用されているフイルム２１は、本出願人から既に提案されている各撮影コマ毎に、その両端に１個ずつパーフォレーション２１ａを設けた新たなフォーマットのものであり、フイルム上での標準的な１コマの画面サイズ（露光範囲）は、１５ｍｍ×２６．７ｍｍ（ハイビジョンサイズのアズペクト比）となっている。
【００２４】
暗箱２６の下側には、識別データ露光用の識別データ露光ユニット２７，２８が設けられており、これらの識別データ露光ユニット２７，２８は、フイルム２１の露光範囲２２の下側でフイルム２１の乳剤面２１ｂに対面するように配されている。識別データ露光ユニット２７，２８は、それぞれフイルム２１が感度を有する波長域の光を発光する発光ダイオード２７ａ，２８ａ（図１参照）と、これらの外側を覆い発光ダイオード２７ａ，２８ａが発光した光を四角い形状にしてフイルム２１に照射するように開口が形成されたカバー２７ｂ，２８ｂとから構成されている。発光ダイオード２７ａ，２８ａが発光すると、これに対面しているフイルム２１の位置にプリントモードを識別するための識別データの第１ビット３０ａ，第２ビット３０ｂがそれぞれ四角の形状で露光・記録される。この識別データは、Ｈプリントモード時には記録されず、Ｐプリントモードでは識別データとして第１ビット３０ａのみが記録され、Ｌプリントモードでは第１ビット３０ａ及び第２ビット３０ｂの両方が記録される。
【００２５】
図１に示すように、ストロボ回路及びこれに組み込まれた識別データ露光回路は、大別してストロボ回路の昇圧部４０及び充電発光部４１と、昇圧部４０内に設けられた識別データ露光回路のスイッチング部４２及び識別データ発光部４３とからなる。
【００２６】
昇圧部４０は、ストロボ回路の電源となる起電力が１．５Ｖの電池３１と、ＮＰＮ型の発振トランジスタ４４，発振トランス４５，ストロボ充電スイッチ７，整流用のダイオード４６等から構成されている。昇圧部４０は、電池３１の低圧の直流を高圧に変換するために、発振トランジスタ４４と発振トランス４５とで周知の自走式ブロッキング発振回路を構成している。
【００２７】
発振トランス４５は、それぞれが誘導結合された一次コイル４７，二次コイル４８，三次コイル４９とから構成されている。この発振トランス４５では、一次コイル４７の各端子が第１端子４５ａ，第２端子４５ｂに、二次コイル４８の一方の端子が第５端子４５ｃに、二次コイル４８の他方の端子は三次コイル４９の一方の端子と共有端子である第４端子４５ｄに、三次コイル４９の他方の端子が第３端子４５ｅになっている。
【００２８】
一次コイル４７の第２端子４５ｂには、電池３１のプラス端子が接続され、第１端子４５ａには発振トランジスタ４４のコレクタ端子が接続されている。また、三次コイル４９の第３端子４５ｅには、抵抗５１を介して電池３１のプラス端子が接続され、第４端子４５ｄには、ストロボ充電スイッチ７を介して発振トランジスタ４４のベース端子が接続されている。ストロボ充電スイッチ７は、操作ボタン７ａを押圧している間だけＯＮとなる。
【００２９】
発振トランジスタ４４のエミッタ端子は、電池３１のマイナス端子に接続されて接地（ＧＮＤ）されるとともに、充電発光部４１のプラス側（メインコンデンサ５２のプラス端子）とに接続されている。また、二次コイル４８の第５端子４５ｃは、ダイオード４６のカソードに接続され、このダイオード４６のアノードは充電発光部４１のマイナス側（メインコンデンサ５２のマイナス端子）に接続されている。
【００３０】
発振トランジスタ４４は、ストロボ充電スイッチ７がＯＮになると、ベース端子に抵抗５１，三次コイル４９を介してベース電圧が与えられ、ベース電流が流れ込んで作動を開始し、発振トランス４５からの正帰還作用によってベース電流が増大することで発振する。二次コイル４８には、発振トランジスタ４４の発振動作中に一次コイル４７と二次コイル４８との巻線比に応じた高電圧例えば３００Ｖ程度が発生し、ダイオード４６によって第５端子４５ｃから第４端子４５ｄ方向に流れる二次側電流のみが充電発光部４１に給電される。一次コイル４７に流れる一次側電流（コレクタ電流）が飽和して、発振トランス４５に逆起電力が発生した時には、ダイオード４６によって第４端子４５ｄから第５端子４５ｃ方向に電流が流れないようにされている。
【００３１】
充電発光部４１は、メインコンデンサ５２，トリガコンデンサ５３，トリガスイッチ５４，トリガトランス５５，トリガ電極５６，ストロボ発光部６に露呈されたストロボ放電管５７等から構成されている。昇圧部４０から整流されて供給される二次側電流は、メインコンデンサ５２とトリガコンデンサ５３とに充電される。メインコンデンサ５２が規定充電電圧まで充電されると、ネオン管５８が点灯する。このネオン管５８は、ストロボ付きフイルムユニットの表示窓１１に臨む位置に配されており、表示窓１１を介して、発光の有無を確認することができる。
【００３２】
トリガスイッチ５４は、シャッタ装置（シャッタ羽根２５）の作動に連動してＯＮ，ＯＦＦされ、開口２６ａが全開した時にＯＮとなってトリガコンデンサ５３を放電させる。トリガコンデンサ５３から放電された電流は、トリガトランス５５の一次側に流れ、二次側に接続されたトリガ電極５６に高電圧を印加する。そして、トリガ電極５６への高電圧の印加によって、ストロボ放電管５７内のＸｅガスがイオン化して絶縁が破れることでメインコンデンサ５２が放電し、ストロボ放電管５７が発光する。
【００３３】
識別データ露光回路のスイッチング部４２は、ストロボ充電スイッチ７と並列に接続された露光用のスイッチ用トランジタ７１と、シャッタ装置の作動に同期してＯＮ，ＯＦＦされる電気接点の露光スイッチ７０等から構成されている。スイッチ用トランジスタ７１は、ＰＮＰ型のトランジタで、エミッタ端子が発振トランス４５の第４端子４５ｄに接続され、コレクタ端子が発振トランジスタ４４のベース端子に接続されている。さらに、スイッチ用トランジスタ４１のベース端子は、抵抗７２，露光スイッチ７０を介して電池３１のマイナス端子（ＧＮＤ）に接続されている。
【００３４】
露光スイッチ７０は、機械的に電気接続するスイッチであって、シャッタ装置が作動して、開口２６ａが全開した時にＯＮとなるようにされている。すなわち、トリガスイッチ５４と連動してＯＮ，ＯＦＦするようになっている。露光スイッチ７０がＯＮとなると、抵抗５１，三次コイル４９を介してスイッチ用トランジスタ７１のエミッタ端子からベース端子に電流（ベース電流）が流れるようになり、スイッチ用トランジスタ７１が作動し、エミッタ−コレクタ間に電流が流れ、これが発振トランジスタ４４のベース電流として流れるようになる。すなわち、シャッタ装置の作動に同期して、ストロボ充電スイッチ７がＯＮした時と同様に発振トランジスタ４４を作動させる。なお、露光スイッチ７０がＯＮとなるタイミングは、開口２６ａが全開した時点に限らず、シャッタボタン９を押圧した時や、シャッタ羽根２５が作動を開始した時または作動が終了した時のように、１コマの撮影で１回すなわちシャッタ装置が作動する毎に、これに同期してＯＮとなるようにすればよい。
【００３５】
識別データ発光部４３は、識別データユニット２７，２８に設けられた２個の発光ダイオード２７ａ，２８ａと、プリントモード切替ツマミ８のスライド移動に連動して、接続接点の位置が切替られるスライドスイッチ７３等から構成されている。スライドスイッチ７３は、第１〜第３の３個の端子７３ａ，７３ｂ，７３ｃを有しており、プリントモード切替ツマミ８がＰプリントモードの位置にセットされた時には、第１端子７３ａに第２端子７３ｂを接続し、Ｌプリントモードの位置にセットされた時には、第１端子７３ａに第２端子７３ｂ及び第３端子７３ｃを接続する。
【００３６】
第１端子７３ａは発振トランジスタ４４のコレクタ端子と一次コイル４７とに接続され、第２端子７３ｂは発光ダイオード２７ａのアノードに，第３端子７３ｃは発光ダイオード２８ａのアノードにそれぞれ接続されている。各発光ダイオード２７ａ，２８ａのカソードは、それぞれ抵抗７４ａ，７４ｂを介して、露光スイッチ７０の抵抗７２側に接続されている。これらの発光ダイオード２７ａ，２８ａには、発光を開始する時の順方向電圧すなわち立ち上がり電圧が２．０Ｖ程度のものが用いられている。
【００３７】
このように接続することにより、シャッタ装置が作動して開口２６ａが全開すると、発振トランジスタ４４が作動し、発振トランジスタ４４と発振トランス４５とによる発振が開始される。このときに、一次コイル４７に発生するパルス電圧（ピーク電圧約６Ｖ）によって、発光ダイオード２７ａ，２８ａは、順方向電流が流れて発光し、フイルム２１に識別データを露光するようになっている。なお、抵抗７４ａ，７４ｂは、発光ダイオード２７ａ，２８ａにかかる電圧の大きさを例えば３Ｖ程度に調節するためのものであり、この抵抗値は一次コイル４７に発生するパルス電圧に応じて適宜に調節される。
【００３８】
次に、上記のように構成されたストロボ付きフイルムユニットの作用について説明する。撮影者は、ストロボ付きフイルムユニットの巻上げノブ５を回動操作し、フイルム２１を巻き上げて、撮影の準備をする。この巻き上げ操作によって、シャッタチャージが行われる。次に、被写体の種類や撮影者の好みによって、プリントモード切替ツマミ８を所望とするプリントモードの位置にスライド移動させてセットする。例えば、プリントモード切替ツマミ８を「Ｌ」の位置に移動してセットすると、これによりスライドスイッチ７３がスライドされて、第１端子７３ａに第２端子７３ｂ及び第３端子７３ｃが接続される。すなわち、発光ダイオード２７ａ，２８ａの各アノードが一次コイル４７の第１端子４５ａに接続された状態となる。
【００３９】
また、ストロボを発光させて撮影する必要がある場合は、操作ボタン７ａを押圧してストロボ充電スイッチ７をＯＮさせる。この押圧操作は、表示窓１１介してネオン管５８の点灯が確認されるまで継続する。
【００４０】
ストロボ充電スイッチ７がＯＮとなると、抵抗５１，三次コイル４９を介して発振トランジスタ４４にベース電流が流れ込み、発振トランジスタ４４が作動を開始する。これにより、発振トランジスタ４４と発振トランス４５とで形成するブロッキング発振器が発振を開始し、この発振はストロボ充電スイッチがＯＮになっている間に継続して行われる。
【００４１】
発振動作中に二次コイル４８で発生した高電圧の起電力による第５端子４５ｃから第４端子４５ｄ方向に流れる二次側電流は、充電発光部４１に給電され、メインコンデンサ５２とトリガコンデンサ５３を充電する。また、二次コイル４８で発生した逆起電力は、第４端子４５ｄから第５端子４５ｃ方向に二次側電流を流そうとするが、ダイオード４６の作用により、充電発光部４１には給電されない。
【００４２】
メインコンデンサ５２が規定充電電圧まで充電されると、ネオン管５８が点灯する。撮影者は、表示窓１１を介してネオン管５８の点灯を確認した後に、ストロボ充電スイッチ７の押圧を解除する。押圧操作を解除することによって、発振が止まり、メインコンデンサ５２の充電が停止される。
【００４３】
シャッタボタン８を押すと、シャッタ装置が作動しシャッタ羽根２５が回動する。そして、開口２６ａが全開した時点でトリガスイッチ５４がＯＮされる。すると、トリガコンデンサ５３が放電して、トリガ電極５６に高電圧が印加される。そして、トリガ電極５６への高電圧の印加によってメインコンデンサ５２が放電し、ストロボ放電管５７が発光する。また、シャッタ羽根２５が開口２６ａの前面より退避している間に、暗箱２６のアパーチャ背後にセットされているフイルム２１のハイビジョンサイズのアスペクト比の露光範囲２２に、撮影レンズ３を透過した撮影光が露光される。
【００４４】
一方、メインコンデンサ５２に充電をしたか否か（ストロボ発光の有無）にかかわらず、シャッタ装置の作動に同期して（開口２６ａが全開した時点で）露光スイッチ７０がＯＮとなって、スイッチ用トランジスタ７１にベース電流が流れるようになる。これにより、スイッチ用トランジスタ７１のエミッタ−コレクタ間に電流が流れ、この電流は発振トランジスタ４４のベース端子に流れ込んで、発振トランジスタ４４の作動が開始される。
【００４５】
発振トランジスタ４４が作動を開始すると、メインコンデンサ５２の充電時と同様に発振トランジスタ４４と発振トランス４５とで形成するブロッキング発振回路が発振を開始する。この発振は、露光スイッチ７０がＯＮとなっている期間中継続される。そして、発振を継続している期間では、発振トランス４５に電流が流れ始めたり，流れなくなったりするために、一次コイル４７に図５に示すよなパルス状のパルス電圧が発生する。なお、図５に示される電圧は、発振トランジスタ４４のコレクタ−エミッタ間電圧を測定したものであり、このパルス電圧は、ピーク電圧で６Ｖ程度になる。この時に露光スイッチ７０がＯＮとなり、かつ発光ダイオード２７ａ，２８ａのアノードが一次コイル４７の第１端子４５ａに接続されているので、一次コイル４７で発生したパルス電圧によって、抵抗７４ａ，７４ｂを通して発光ダイオード２７ａ，２８ａに順方向電流が流れ発光する。このとき、発光ダイオード２７ａ，２７ｂは、１０〜２０ｍＡの順方向電流が流れて発光する。
【００４６】
なお、メインコンデンサ５２を充電するときにも、この一次コイル４７には、同様のパルス電圧が発生するが、露光スイッチ７０がＯＮとなっていないため、発光ダイオード２７ａ，２８ａには順方向電圧が印加されないので発光することはない。
【００４７】
実際には、発光ダイオード２７ａ，２８ａは、パルス電圧が発生して、ピーク電圧を中心にした一定の幅の期間中に立ち上がり電圧以上の電圧が印加された時に安定して発光する。そして、露光スイッチ７０のＯＮとなっている時間は、昇圧部４０の発振サイクルに比べて極めて長く、ピーク電圧は複数回発生するから、この回数分だけ発光ダイオード２７ａ，２８ａが繰り返し発光し、フイルム２１を露光するのに十分な光量を得ることができる。
【００４８】
このようにして、発光ダイオード２７ａ，２８ａが発光すると、この発光した光はカバー２７ｂ，２８ｂでそれぞれ四角の形状にされてフイルム２１の露光範囲２２の下側に照射され、四角い第１ビット３０ａと第２ビット３０ｂが露光される。この時に撮影されたフイルム２１の状態を図６（ａ）に示す。なお、図６は、乳剤面２１ｂ側から見た状態を示している。フイルム２１の撮影コマ８０には、ハイビジョンサイズのアスペクト比を持った露光範囲２２に被写体像が露光されるとともに、露光範囲２２の下側に第１ビット３０ａと第２ビット３０ｂとからなるＬプリントモードを示す識別データ８１が露光された状態となる。なお、点線８２で囲まれる領域は、ファインダ４のＬプリントモードの視野範囲を示している。
【００４９】
また、Ｐプリントモードの位置にプリントモード切替ツマミ８をセットした時には、スライドスイッチ７３は、第１端子７３ａに第２端子７３ｂを接続する。これにより、発光ダイオード２７ａのアノードが一次コイル４７の第１端子４５ａと接続された状態となる。シャッタボタン９を押圧すると、シャッタ装置が作動され、この時にもフイルム２１のハイビジョンサイズのアスペクト比の露光範囲２２に被写体像が露光される。また、Ｌプリントモードの撮影時と同様に、シャッタ装置が作動して、開口２６ａが全開した時点で、露光スイッチ７０がＯＮとなる。これにより、スイッチ用トランジスタ７１が作動し、発振トランジスタ４４の作動が開始され、発振トランス４５との発振が行われる。
【００５０】
この時に一次コイル４７で発生するパルス電圧は、発光ダイオード２７ａのみに印加されて、発光ダイオード２７ａが発光し、このＰプリントモードで撮影された撮影コマの露光範囲２２の下側には、第１ビット３０ａのみが露光される。このときの撮影コマ８４を図６（ｂ）に示すように、ハイビジョンサイズのアスペクト比を持った露光範囲２２に被写体像が露光されるとともに、露光範囲２２の下側に第１ビット３０ａからなるＰプリントモードを示す識別データ８５が露光された状態となる。なお、点線８６で囲まれる領域は、ファインダ４のＰプリントモードの視野範囲を示している。
【００５１】
さらに、Ｈプリントモードの位置にプリントモード切替ツマミ８をセットした時には、スライドスイッチ７３は、第１端子７３ａに第２端子７３ｂ及び第３端子７３ｃの両方が接続されない状態に切替られる。したがって、発光ダイオード２７ａ，２８ａの各アノードが一次コイル４７の第１端子４５ａと接続されない状態となる。上記同様にして、撮影を行うと、シャッタ装置が作動して露光スイッチ７０がＯＮになっても、発光ダイオード２７ａ，２８ａは、一次コイル４７で発生するパルス電圧が印加されないので発光しない。このときの撮影コマ８７を図６（ｃ）に示すように、ハイビジョンサイズのアスペクト比を持った露光範囲２２にファインダ４の全視野範囲４ａと同じ範囲の被写体像が露光されるが、露光範囲２２の下側には識別データが露光されていない状態となる。
【００５２】
もちろん、ＰまたはＨプリントモードを選択していても、メインコンデンサ５２に充電を行っていれば、ストロボ放電管５７が発光し、ストロボ撮影が行われる。
【００５３】
このようにして、所望とするプリントモードを選択しながら順次に撮影を行い、最終コマの撮影の終了後に巻き上げノブ５を連続的に回動させて、全てのフイルム２１をフイルムカートリッジ２０内に収納する。この後に、ストロボ付きフイルムユニットを渡して現像店等に現像及びプリントを依頼する。
【００５４】
フイルムカートリッジ２０は、ユニット本体１から取り出され、さらに、フイルムカートリッジ２０からフイルム２１が引き出されて現像処理が行われる。現像処理されたネガフイルムは、焼付装置にセットされる。焼付装置にはネガフイルムに記録された識別データの各ビット３０ａ，３０ｂを自動的に読み取る装置が内蔵されており、この装置から得られる信号に応じて、Ｌプリントサイズ，ハイビジョンサイズ，パノラマプリントサイズに対応したマスクがセットされ、これらのマスクに応じて引き伸ばし倍率が決定されて焼付処理（プリント）が行われる。
【００５５】
例えば、図６（ａ）に示す撮影コマ８０をプリントする場合には、第１ビット３０ａ及び第２ビット３０ｂからなる識別データ８１が記録されているので、露光範囲２２よりも左右に狭い領域を持った、Ｌプリント用のマスクを用いて点線８２で囲まれる領域が、Ｌプリントサイズの印画紙に拡大して焼付けられるから、図７（ａ）に示すようなＬプリントサイズのプリント写真が得られる。
【００５６】
また、図６（ｂ）に示す撮影コマ８４をプリントする場合には、第１ビット３０ａだけからなる識別データ８５が記録されているので、露光範囲２２よりも上下に狭い領域を持った、パノラマプリント用のマスクを用いて点線８６で囲まれる領域が、パノラマサイズの印画紙に拡大して焼付けられるから、図７（ｂ）に示すようなパノラマサイズのプリント写真が得られる。
【００５７】
さらに、図６（ｃ）に示す撮影コマ８７をプリントする場合には、識別データが記録されていないので、露光範囲２２と同じ領域を持ったハイビジョンプリント用のマスクを用いて露光範囲２２の全領域が、ハイビジョンサイズの印画紙に拡大して焼付けられるから、図７（ｃ）に示すようなハビジョンサイズのプリント写真が得られる。
【００５８】
なお、上記実施例では、発光ダイオード２７ａ，２８ａを発光させるためのパルス電圧を一次コイル４７から取り出すようにしているが、図８に示すように、三次コイル４９から取り出すようにしてもよい。この場合には、スライドスイッチ７３の第１端子７３ａが、三次コイル４９の第３端子４５ｅ（抵抗５１側）に接続されている。三次コイル４９は、一次コイル４５と同様に発振を継続している期間では、発振トランス４５に電流が流れ始めたり、流れなくなったりするために、パルス電圧が発生する。
【００５９】
この時の、第３端子４５ｅの電位変化を図９に示す。なお、この電位は、電池３１のマイナス端子（ＧＮＤ）の電位を基準（０Ｖ）としてある。第３端子４５ｅの電位はピークで約６Ｖ程度になる。発光ダイオード２７ａ，２８ａは、抵抗７４ａ，７４ｂを通して電池３１のマイナス端子に接続されているから各アノードとＧＮＤの電位差は６Ｖ以下となる。しかしながら、抵抗７４ａ，７４ｂの抵抗値を調節することによって、発光ダイオード２７ａ，２８ａを安定して発光させるだけの電圧を取り出すことができる。したがって、このようにしても、発光ダイオード２７ａ，２８ａを発光させ、識別データを露光することができる。
【００６０】
次に、機械的な露光スイッチ７０の代わりに、半導体スイッチ（トランジスタ）を用いた実施例について図１０を参照しながら説明する。なお、以下に説明する以外の部分については、最初の実施例と同じであり、同じ構成部材については同符号を付してある。
【００６１】
充電発光部４１のプラス側（メインコンデンサ５２のプラス端子）は、一次コイル４７の第２端子４５ｂに接続されており、この電位が電池３１のプラス電位と共通にされている。また、スイッチ用トランジスタ７１のベース端子は、抵抗７２を介してＮＰＮ型の露光シンクロ用トランジスタ９０のコレクタ端子に接続されている。
【００６２】
露光シンクロ用トランジスタ９０のベース端子は、抵抗９１を介してダイオード９２のカソードに接続され、このダイオード９２のアノードはトリガトランス５５とトリガスイッチ５４との間に接続されている。また、露光シンクロ用トランジスタ９０のエミッタ端子は、電池３１のマイナス側に接続されている。露光シンクロ用トランジスタ９０のエミッタ−ベース間に接続されたコンデンサ９３は、トリガスイッチ５４がＯＮになった際に発生するスパイクノイズを除去するためのものである。
【００６３】
なお、この充電発光部４１は、プラス側が電池３１のプラス側に接続されているため、昇圧部４０の発振動作中には、メインコンデンサ５２及びトリガコンデンサ５３は、電池３１のプラス電位をＧＮＤ（基準）として二次コイル４８で発生した高電圧で充電される。
【００６４】
上記構成によれば、シャッタ装置が作動してトリガスイッチ５４がＯＮとなると、露光シンクロ用トランジスタ９０のベースーエミッタ間に、電池３１の１．５Ｖがトリガスイッチ５４，ダイオード９２，抵抗９１を介して印加される。これにより、露光シンクロ用トランジスタ９０が作動して、ＯＮ状態（エミッタ−コレクタ間がＯＮ）となって、スイッチ用トランジスタ７１にベース電流が流れる。そして、上記実施例と同様に、発振トランジスタ４４が作動して、発振動作が開始され、一次コイル４７から取り出されたパルス電圧によって発光ダイオード２７ａ，２８ａが発光される。このようにしても、上記各実施例と同様に識別データを露光することができる。
【００６５】
上記各実施例では、発光ダイオード２７ａ，２８ａを発光させてプリントモードを識別するための識別データを露光するようにしているが、識別データ露光ユニット２７，２８に代えて、例えば７セグメントのＬＥＤユニットの各セグメントを選択的に発光させれば、フイルム２１に日付や絞り値等の各種撮影データを露光することもできるのはいうまでもない。また、電池を１．５Ｖとしているが、１．２Ｖ，１．８Ｖ等の起電力のものでもよい。また、各プリントモードの第１ビット及び第２ビットの記録パターンは、上記各実施例のものに限られない。
【００６６】
【発明の効果】
以上に述べたように、本発明のストロボ内蔵型レンズ付きフイルムユニットによれば、内蔵した電池を電源とする発振トランジスタと発振トランスを有した発振回路とを備えたストロボ回路と、シャッタ装置の作動に同期して発振回路を作動させるようにするとともに、シャッタ装置の作動に同期した発振回路の作動中に発振トランスの例えば一次コイルや三次コイルに発生する電圧を取り出して、この電圧で発光ダイオードを発光させ、識別データをフイルムに露光するようにしたデータ露光回路とを備えるようにしたから、シャッタ装置に同期させて発光ダイオードでデータをフイルムに露光することができるようになり、また発光ダイオード用の電池を設ける必要がないのでローコスト、小型化に有利になる。
【００６７】
また、撮影時に、撮影者が意図するプリントモードを選択するための操作部材に連動させて、複数個の発光ダイオードをプリントモードに応じて選択的に発光させるようにしたから、簡単な回路でプリントモードを識別するための識別データをフイルムに露光することができるようになる。
【図面の簡単な説明】
【図１】本発明を実施したストロボ回路と識別データ露光回路の回路図である。
【図２】ストロボ回路と識別データ露光回路を内蔵したレンズ付きフイルムユニットの外観図である。
【図３】ファインダを覗いた状態を示す説明図である。
【図４】識別データ露光ユニットとフイルムの位置関係を示すレンズ付きフイルムユニットの要部概略図である。
【図５】一次コイルで発生したパルス電圧を発振トランジスタのコレクタ−エミッタ間の電圧として示す波形図である。
【図６】各プリントモードで撮影された撮影コマの状態を示す説明図である。
【図７】撮影コマから得られるプリント写真を示す説明図である。
【図８】三次コイルから発光ダイオードの順方向電圧を取り出すようにしたストロボ回路と識別データ露光回路の回路図である。
【図９】同回路による発光ダイオードのアノード側電位の変化を示す波形図である。
【図１０】シャッタ装置の作動に同期して電気的に発振トランジスタの作動を開始するようにしたストロボ回路と識別データ露光回路の回路図である。
【符号の説明】
７  ストロボ充電スイッチ
８  プリントモード切替ツマミ
２７ａ，２８ａ  発光ダイオード
３１  電池
４４  発振トランジスタ
４５  発振トランス
４７〜４９  コイル
５２  メインコンデンサ
５４  トリガスイッチ
５７  ストロボ放電管
７０  露光スイッチ
７１  スイッチ用トランジスタ
７３  スライドスイッチ
８１，８５  識別データ
９０  露光シンクロ用トランジスタ
【図１】
0003553677.tif 000002
【図２】
0003553677.tif 000003
【図３】
0003553677.tif 000004
【図４】
0003553677.tif 000005
【図５】
0003553677.tif 000006
【図６】
0003553677.tif 000007
【図７】
0003553677.tif 000008
【図８】
0003553677.tif 000009
【図９】
0003553677.tif 000010
【図１０】
0003553677.tif 000011